(57)【特許請求の範囲】
【請求項１】
尿素液を充填タンクに充填する尿素液充填装置であって
充填タンクの充填口に取り付ける蓋機構と、
充填タンクに尿素液を充填するために蓋機構に連結される連結機構と、
尿素液を流すホースを連結機構に接続するための支持構造であるブラケット機構と、
から構成されており、
蓋機構は、
充填タンクの充填口に取り付けられ、中心に円形スロットが形成されたカバーと、
カバーの内側に垂設された複数の支持板によって取り付けられたリングスリーブFと、
カバーの中心の円形スロットに取り付けられたリングスリーブGと、
リングスリーブGからリングスリーブFまで、リングスリーブFに形成されたガイドスロットBに挿通されたガイドロッドBによって鉛直上下方向にスライドするプラグと、
プラグ上面に取り付けられたリングスリーブHを挿通して、リングスリーブGに嵌合することで、プラグをリングスリーブGに取り付けるリミットブロックBと、
プラグとリングスリーブFの間に、プラグが鉛直下方向に移動したときにプラグに反発力を与えるスプリングBと、
からなり、
連結機構は、
蓋機構のリングスリーブGに連結する連結筒と、
リングスリーブGと連結筒を連結させるためのリングスリーブDと
連結筒上に立設する逆U字体と、
逆U字体の間隙部分で揺動する振り子と、
振り子に結合し、振り子の揺動をガイドロッドAに伝える連結ロッドと、
連結ロッドに結合し、振り子の揺動によって鉛直上下方向にスライドするガイドロッドAと、
ガイドロッドAに結合し、ガイドロッドAの鉛直上下方向のスライドに合わせて連結筒の筒状溝と蓋機構のリングスリーブFまで鉛直上下方向にスライドするスライドプラグと、
からなり、
ブラケット機構は、
連結機構の逆U字体に連結し、鉛直上下方向にスライドするスライドバーBと、
スライドバーBを支持するスライドスリーブBと、
スライドスリーブBと連結し、水平方向にスライドするスライドバーAと、
スライドバーAが水平方向に摺動自在に挿通されているスライドスリーブAと、
スライドスリーブAを支持し、鉛直上下方向にスライドする旋回スリーブAと、
旋回スリーブAを軸の周方向に回転自在に軸支する柱と、
柱の土台となる基部と、
連結機構の連結筒に接続され、尿素液を充填タンクまで流す経路となるホースと、
からなり、
旋回スリーブAの回転と、スライドバーA及びスライドバーBのスライドによるブラケット機構の調整によって、
スライドバーBの先端に取り付けられた連結機構が、充填タンクの充填口に取り付けたカバーに連結された状態で、
振り子が押し上げられることで、
連結ロッドとガイドロッドAを介して鉛直下方向にスライドするスライドプラグが、
蓋機構のプラグと嵌合して、
プラグとともにリングスリーブGの下端部よりも押し下げられ、
ホースから連結筒の筒状溝Bに流入した尿素液が、
リングスリーブGとスライドプラグの隙間から充填タンクに充填され、
振り子が押し下げられることで、
連結ロッドとガイドロッドAを介して鉛直上方向にスライドするスライドプラグが、
嵌合する蓋機構のプラグによってリングスリーブGとの隙間を塞いで、
尿素液が充填タンクに流入するのを遮断し、
リングスリーブGにプラグとの嵌合状態を外され、鉛直上方向にスライドし、
充填の流路に残る尿素液が回収されることで、
充填タンクを尿素液充填装置から取り外す際には、
残留尿素液の滴下による装置周囲への汚染を回避できる
ことを特徴とする尿素液充填装置。
【請求項２】
尿素液を充填タンクに充填する尿素液充填装置であって
充填タンクの充填口に取り付ける蓋機構と、
充填タンクに尿素液を充填するために蓋機構に連結される連結機構と、
尿素液を流すホースを連結機構に接続するための支持構造であるブラケット機構と、
から構成されており、
蓋機構は、
充填タンクの充填口に取り付けられ、中心に円形スロットが形成されたカバーと、
カバーの内側に垂設された複数の支持板によって取り付けられたリングスリーブFと、
カバーの中心の円形スロットに取り付けられたリングスリーブGと、
リングスリーブGからリングスリーブFまで、リングスリーブFに形成されたガイドスロットBに挿通されたガイドロッドBによって鉛直上下方向にスライドするプラグと、
プラグ上面に取り付けられたリングスリーブHを挿通して、リングスリーブGに嵌合することで、プラグをリングスリーブGに取り付けるリミットブロックBと、
プラグとリングスリーブFの間に、プラグが鉛直下方向に移動したときにプラグに反発力を与えるスプリングBと、
からなり、
連結機構は、
蓋機構のリングスリーブGに連結する連結筒と、
リングスリーブGと連結筒を連結させるためのリングスリーブDと
連結筒上に立設する逆U字体と、
逆U字体の間隙部分で揺動する振り子と、
振り子に結合し、振り子の揺動をガイドロッドAに伝える連結ロッドと、
連結ロッドに結合し、振り子の揺動によって鉛直上下方向にスライドするガイドロッドAと、
ガイドロッドAに結合し、ガイドロッドAの鉛直上下方向のスライドに合わせて連結筒の筒状溝と蓋機構のリングスリーブFまで鉛直上下方向にスライドするスライドプラグと、
振り子の揺動範囲を制限するための２つの制限ブロックと、
からなり、
ブラケット機構は、
連結機構の逆U字体に連結し、鉛直上下方向にスライドするスライドバーBと、
スライドバーBを支持するスライドスリーブBと、
スライドスリーブBと連結し、水平方向にスライドするスライドバーAと、
スライドバーAが水平方向に摺動自在に挿通されているスライドスリーブAと、
スライドスリーブAを支持し、鉛直上下方向にスライドする旋回スリーブAと、
旋回スリーブAを軸の周方向に回転自在に軸支する柱と、
柱の土台となる基部と、
連結機構の連結筒に接続され、尿素液を充填タンクまで流す経路となるホースと、
からなり、
旋回スリーブAの回転と、スライドバーA及びスライドバーBのスライドによるブラケット機構の調整によって、
スライドバーBの先端に取り付けられた連結機構が、充填タンクの充填口に取り付けたカバーに連結された状態で、
振り子が２つの制限ブロックの間で押し上げられることで、
連結ロッドとガイドロッドAを介して鉛直下方向にスライドするスライドプラグが、
蓋機構のプラグと嵌合して、
プラグとともにリングスリーブGの下端部よりも押し下げられ、
ホースから連結筒の筒状溝Bに流入した尿素液が、
リングスリーブGとスライドプラグの隙間から充填タンクに充填され、
振り子が２つの制限ブロックの間で押し下げられることで、
連結ロッドとガイドロッドAを介して鉛直上方向にスライドするスライドプラグが、
嵌合する蓋機構のプラグによってリングスリーブGとの隙間を塞いで、
尿素液が充填タンクに流入するのを遮断し、
リングスリーブGにプラグとの嵌合状態を外され、鉛直上方向にスライドし、
充填の流路に残る尿素液が回収されることで、
充填タンクを尿素液充填装置から取り外す際には、
残留尿素液の滴下による装置周囲への汚染を回避できる
ことを特徴とする尿素液充填装置。
【請求項３】
尿素液を充填タンクに充填する尿素液充填装置であって
充填タンクの充填口に取り付ける蓋機構と、
充填タンクに尿素液を充填するために蓋機構に連結される連結機構と、
尿素液を流すホースを連結機構に接続するための支持構造であるブラケット機構と、
から構成されており、
蓋機構は、
充填タンクの充填口に取り付けられ、中心に円形スロットが形成されたカバーと、
カバーの内側に垂設された複数の支持板によって取り付けられたリングスリーブFと、
カバーの中心の円形スロットに取り付けられたリングスリーブGと、
リングスリーブGからリングスリーブFまで、リングスリーブFに形成されたガイドスロットBに挿通されたガイドロッドBによって鉛直上下方向にスライドするプラグと、
プラグ上面に取り付けられたリングスリーブHを挿通して、リングスリーブGに嵌合することで、プラグをリングスリーブGに取り付けるリミットブロックBと、
プラグとリングスリーブFの間に、プラグが鉛直下方向に移動したときにプラグに反発力を与えるスプリングBと、
からなり、
連結機構は、
蓋機構のリングスリーブGに連結する連結筒と、
リングスリーブGと連結筒を連結させるためのリングスリーブDと
連結筒上に立設する逆U字体と、
逆U字体の間隙部分で揺動する振り子と、
振り子に結合し、振り子の揺動をガイドロッドAに伝える連結ロッドと、
連結ロッドに結合し、振り子の揺動によって鉛直上下方向にスライドし、筒状溝C、排気孔Aが形成され、排気管が連結されたガイドロッドAと、
ガイドロッドAに結合し、ガイドロッドAの鉛直上下方向のスライドに合わせて連結筒の筒状溝と蓋機構のリングスリーブFまで鉛直上下方向にスライドし、円形溝D、排気孔Bが形成されたスライドプラグと、
振り子の揺動範囲を制限するための２つの制限ブロックと、
からなり、
ブラケット機構は、
連結機構の逆U字体に連結し、鉛直上下方向にスライドするスライドバーBと、
スライドバーBを支持するスライドスリーブBと、
スライドスリーブBと連結し、水平方向にスライドするスライドバーAと、
スライドバーAが水平方向に摺動自在に挿通されているスライドスリーブAと、
スライドスリーブAを支持し、鉛直上下方向にスライドする旋回スリーブAと、
旋回スリーブAを軸の周方向に回転自在に軸支する柱と、
柱の土台となる基部と、
連結機構の連結筒に接続され、尿素液を充填タンクまで流す経路となるホースと、
からなり、
旋回スリーブAの回転と、スライドバーA及びスライドバーBのスライドによるブラケット機構の調整によって、
スライドバーBの先端に取り付けられた連結機構が、充填タンクの充填口に取り付けたカバーに連結された状態で、
振り子が２つの制限ブロックの間で押し上げられることで、
連結ロッドとガイドロッドAを介して鉛直下方向にスライドするスライドプラグが、
蓋機構のプラグと嵌合して、
プラグとともにリングスリーブGの下端部よりも押し下げられ、
ホースから連結筒の筒状溝Bに流入した尿素液が、
リングスリーブGとスライドプラグの隙間から充填タンクに充填され、
振り子が２つの制限ブロックの間で押し下げられることで、
連結ロッドとガイドロッドAを介して鉛直上方向にスライドするスライドプラグが、
嵌合する蓋機構のプラグによってリングスリーブGとの隙間を塞いで、
尿素液が充填タンクに流入するのを遮断し、
リングスリーブGにプラグとの嵌合状態を外され、鉛直上方向にスライドし、
充填の流路に残る尿素液が回収されることで、
充填タンクへの尿素液の充填時、充填タンク内の空気が、
スライドプラグの排気孔Bと円形溝Dから、ガイドロッドの筒状溝Cと排気孔Aと排気管の順に通過して、充填タンクの外部に排出され、
充填タンクを尿素液充填装置から取り外す際には、
残留尿素液の滴下による装置周囲への汚染を回避できる
ことを特徴とする尿素液充填装置。
【発明の詳細な説明】
【技術分野】
【０００１】
本発明は、尿素液をタンク内に充填するための充填装置に関する。
【背景技術】
【０００２】
従来、尿素液の充填作業は手作業で行われており、労働集約的で効率が悪かった。
特に、手作業によるため、慢性的に人手が足りず、人件費の負担が大きい。
また、従来の尿素液の充填装置は、密閉性が不十分であるために、尿素液が装置外部に漏れ出しやすく、装置周辺の環境を汚染する原因になっていた。
充填装置の密閉性が低いと、外部の埃や異物が充填タンク内の尿素液に入りやすくなり、充填された尿素液の品質にも影響を与える。
【０００３】
そこで、特許文献１には、漏れがない耐久性のある尿素液タンク用フィラーヘッドが開示されている。
このフィラーヘッドは、尿素液を充填するタンクが、フィラーヘッドからタンクへの流体の重力による流れを案内するように構成された充填ラインと、タンクの減圧変動を補償するように構成された通気ラインとに接続されている。
これにより、通気ラインから流れるタンク内の空気が、尿素液と混入することなくフィラーヘッドから排出され、尿素液を補充している間、尿素液は、通気ラインを通ることなく、タンク外部に漏れないようにすることができるというものである。
【先行技術文献】
【特許文献】
【０００４】
【特許文献１】特表2021-514442公報
【発明の概要】
【発明が解決しようとする課題】
【０００５】
しかし、タンク内の空気が、尿素液の流れを邪魔しないようにするだけでは、不十分であり、充填経路に残る尿素液まで回収する必要があることから、新規な防塵・防漏型の尿素液充填装置の開発が求められていた。
本発明は、上記の問題を解決するため、新規の尿素液充填装置を提供する。
【課題を解決するための手段】
【０００６】
従来技術における問題点を解決するために、本発明は、以下の技術的な解決策を講じている。
なお、本発明の説明において、「内」、「下」、「上」など方位と位置関係を指示する用語は、図面に示される方位や作業中によく置く方位、位置関係に基づくものである。
また、方向または位置関係は、本発明を説明し、説明を簡略化するためのものであり、参照されるデバイスまたは要素が特定の方向を有し、特定の方向で構築または操作されなければならないことを示したり示唆したりするものではない。
さらに、「第１」、「第２」などの用語は、説明を区別するためにのみ使用され、相対的な重要性を示したり、暗示することを意味するものではない。
【０００７】
本発明にかかる尿素液充填装置は、
尿素液を充填タンクに充填する尿素液充填装置であって
充填タンクの充填口に取り付ける蓋機構と、
充填タンクに尿素液を充填するために蓋機構に連結される連結機構と、
尿素液を流すホースを連結機構に接続するための支持構造であるブラケット機構と、
から構成されており、
蓋機構は、
充填タンクの充填口に取り付けられ、中心に円形スロットが形成されたカバーと、
カバーの内側に垂設された複数の支持板によって取り付けられたリングスリーブFと、
カバーの中心の円形スロットに取り付けられたリングスリーブGと、
リングスリーブGからリングスリーブFまで、リングスリーブFに形成されたガイドスロットBに挿通されたガイドロッドBによって鉛直上下方向にスライドするプラグと、
プラグ上面に取り付けられたリングスリーブHを挿通して、リングスリーブGに嵌合することで、プラグをリングスリーブGに取り付けるリミットブロックBと、
プラグとリングスリーブFの間に、プラグが鉛直下方向に移動したときにプラグに反発力を与えるスプリングBと、
からなり、
連結機構は、
蓋機構のリングスリーブGに連結する連結筒と、
リングスリーブGと連結筒を連結させるためのリングスリーブDと
連結筒上に立設する逆U字体と、
逆U字体の間隙部分で揺動する振り子と、
振り子に結合し、振り子の揺動をガイドロッドAに伝える連結ロッドと、
連結ロッドに結合し、振り子の揺動によって鉛直上下方向にスライドするガイドロッドAと、
ガイドロッドAに結合し、ガイドロッドAの鉛直上下方向のスライドに合わせて連結筒の筒状溝と蓋機構のリングスリーブFまで鉛直上下方向にスライドするスライドプラグと、
からなり、
ブラケット機構は、
連結機構の逆U字体に連結し、鉛直上下方向にスライドするスライドバーBと、
スライドバーBを支持するスライドスリーブBと、
スライドスリーブBと連結し、水平方向にスライドするスライドバーAと、
スライドバーAが水平方向に摺動自在に挿通されているスライドスリーブAと、
スライドスリーブAを支持し、鉛直上下方向にスライドする旋回スリーブAと、
旋回スリーブAを軸の周方向に回転自在に軸支する柱と、
柱の土台となる基部と、
連結機構の連結筒に接続され、尿素液を充填タンクまで流す経路となるホースと、
からなり、
旋回スリーブAの回転と、スライドバーA及びスライドバーBのスライドによるブラケット機構の調整によって、
スライドバーBの先端に取り付けられた連結機構が、充填タンクの充填口に取り付けたカバーに連結された状態で、
振り子が押し上げられることで、
連結ロッドとガイドロッドAを介して鉛直下方向にスライドするスライドプラグが、
蓋機構のプラグと嵌合して、
プラグとともにリングスリーブGの下端部よりも押し下げられ、
ホースから連結筒の筒状溝Bに流入した尿素液が、
リングスリーブGとスライドプラグの隙間から充填タンクに充填され、
振り子が押し下げられることで、
連結ロッドとガイドロッドAを介して鉛直上方向にスライドするスライドプラグが、
嵌合する蓋機構のプラグによってリングスリーブGとの隙間を塞いで、
尿素液が充填タンクに流入するのを遮断し、
リングスリーブGにプラグとの嵌合状態を外され、鉛直上方向にスライドし、
充填の流路に残る尿素液が回収されることで、
充填タンクを尿素液充填装置から取り外す際には、
残留尿素液の滴下による装置周囲への汚染を回避できる
ことを特徴とする。
【０００８】
本発明にかかる尿素液充填装置は、
尿素液を充填タンクに充填する尿素液充填装置であって
充填タンクの充填口に取り付ける蓋機構と、
充填タンクに尿素液を充填するために蓋機構に連結される連結機構と、
尿素液を流すホースを連結機構に接続するための支持構造であるブラケット機構と、
から構成されており、
蓋機構は、
充填タンクの充填口に取り付けられ、中心に円形スロットが形成されたカバーと、
カバーの内側に垂設された複数の支持板によって取り付けられたリングスリーブFと、
カバーの中心の円形スロットに取り付けられたリングスリーブGと、
リングスリーブGからリングスリーブFまで、リングスリーブFに形成されたガイドスロットBに挿通されたガイドロッドBによって鉛直上下方向にスライドするプラグと、
プラグ上面に取り付けられたリングスリーブHを挿通して、リングスリーブGに嵌合することで、プラグをリングスリーブGに取り付けるリミットブロックBと、
プラグとリングスリーブFの間に、プラグが鉛直下方向に移動したときにプラグに反発力を与えるスプリングBと、
からなり、
連結機構は、
蓋機構のリングスリーブGに連結する連結筒と、
リングスリーブGと連結筒を連結させるためのリングスリーブDと
連結筒上に立設する逆U字体と、
逆U字体の間隙部分で揺動する振り子と、
振り子に結合し、振り子の揺動をガイドロッドAに伝える連結ロッドと、
連結ロッドに結合し、振り子の揺動によって鉛直上下方向にスライドするガイドロッドAと、
ガイドロッドAに結合し、ガイドロッドAの鉛直上下方向のスライドに合わせて連結筒の筒状溝と蓋機構のリングスリーブFまで鉛直上下方向にスライドするスライドプラグと、
振り子の揺動範囲を制限するための２つの制限ブロックと、
からなり、
ブラケット機構は、
連結機構の逆U字体に連結し、鉛直上下方向にスライドするスライドバーBと、
スライドバーBを支持するスライドスリーブBと、
スライドスリーブBと連結し、水平方向にスライドするスライドバーAと、
スライドバーAが水平方向に摺動自在に挿通されているスライドスリーブAと、
スライドスリーブAを支持し、鉛直上下方向にスライドする旋回スリーブAと、
旋回スリーブAを軸の周方向に回転自在に軸支する柱と、
柱の土台となる基部と、
連結機構の連結筒に接続され、尿素液を充填タンクまで流す経路となるホースと、
からなり、
旋回スリーブAの回転と、スライドバーA及びスライドバーBのスライドによるブラケット機構の調整によって、
スライドバーBの先端に取り付けられた連結機構が、充填タンクの充填口に取り付けたカバーに連結された状態で、
振り子が２つの制限ブロックの間で押し上げられることで、
連結ロッドとガイドロッドAを介して鉛直下方向にスライドするスライドプラグが、
蓋機構のプラグと嵌合して、
プラグとともにリングスリーブGの下端部よりも押し下げられ、
ホースから連結筒の筒状溝Bに流入した尿素液が、
リングスリーブGとスライドプラグの隙間から充填タンクに充填され、
振り子が２つの制限ブロックの間で押し下げられることで、
連結ロッドとガイドロッドAを介して鉛直上方向にスライドするスライドプラグが、
嵌合する蓋機構のプラグによってリングスリーブGとの隙間を塞いで、
尿素液が充填タンクに流入するのを遮断し、
リングスリーブGにプラグとの嵌合状態を外され、鉛直上方向にスライドし、
充填の流路に残る尿素液が回収されることで、
充填タンクを尿素液充填装置から取り外す際には、
残留尿素液の滴下による装置周囲への汚染を回避できる
ことを特徴とする。
【０００９】
本発明にかかる尿素液充填装置は、
尿素液を充填タンクに充填する尿素液充填装置であって
充填タンクの充填口に取り付ける蓋機構と、
充填タンクに尿素液を充填するために蓋機構に連結される連結機構と、
尿素液を流すホースを連結機構に接続するための支持構造であるブラケット機構と、
から構成されており、
蓋機構は、
充填タンクの充填口に取り付けられ、中心に円形スロットが形成されたカバーと、
カバーの内側に垂設された複数の支持板によって取り付けられたリングスリーブFと、
カバーの中心の円形スロットに取り付けられたリングスリーブGと、
リングスリーブGからリングスリーブFまで、リングスリーブFに形成されたガイドスロットBに挿通されたガイドロッドBによって鉛直上下方向にスライドするプラグと、
プラグ上面に取り付けられたリングスリーブHを挿通して、リングスリーブGに嵌合することで、プラグをリングスリーブGに取り付けるリミットブロックBと、
プラグとリングスリーブFの間に、プラグが鉛直下方向に移動したときにプラグに反発力を与えるスプリングBと、
からなり、
連結機構は、
蓋機構のリングスリーブGに連結する連結筒と、
リングスリーブGと連結筒を連結させるためのリングスリーブDと
連結筒上に立設する逆U字体と、
逆U字体の間隙部分で揺動する振り子と、
振り子に結合し、振り子の揺動をガイドロッドAに伝える連結ロッドと、
連結ロッドに結合し、振り子の揺動によって鉛直上下方向にスライドし、筒状溝C、排気孔Aが形成され、排気管が連結されたガイドロッドAと、
ガイドロッドAに結合し、ガイドロッドAの鉛直上下方向のスライドに合わせて連結筒の筒状溝と蓋機構のリングスリーブFまで鉛直上下方向にスライドし、円形溝D、排気孔Bが形成されたスライドプラグと、
振り子の揺動範囲を制限するための２つの制限ブロックと、
からなり、
ブラケット機構は、
連結機構の逆U字体に連結し、鉛直上下方向にスライドするスライドバーBと、
スライドバーBを支持するスライドスリーブBと、
スライドスリーブBと連結し、水平方向にスライドするスライドバーAと、
スライドバーAが水平方向に摺動自在に挿通されているスライドスリーブAと、
スライドスリーブAを支持し、鉛直上下方向にスライドする旋回スリーブAと、
旋回スリーブAを軸の周方向に回転自在に軸支する柱と、
柱の土台となる基部と、
連結機構の連結筒に接続され、尿素液を充填タンクまで流す経路となるホースと、
からなり、
旋回スリーブAの回転と、スライドバーA及びスライドバーBのスライドによるブラケット機構の調整によって、
スライドバーBの先端に取り付けられた連結機構が、充填タンクの充填口に取り付けたカバーに連結された状態で、
振り子が２つの制限ブロックの間で押し上げられることで、
連結ロッドとガイドロッドAを介して鉛直下方向にスライドするスライドプラグが、
蓋機構のプラグと嵌合して、
プラグとともにリングスリーブGの下端部よりも押し下げられ、
ホースから連結筒の筒状溝Bに流入した尿素液が、
リングスリーブGとスライドプラグの隙間から充填タンクに充填され、
振り子が２つの制限ブロックの間で押し下げられることで、
連結ロッドとガイドロッドAを介して鉛直上方向にスライドするスライドプラグが、
嵌合する蓋機構のプラグによってリングスリーブGとの隙間を塞いで、
尿素液が充填タンクに流入するのを遮断し、
リングスリーブGにプラグとの嵌合状態を外され、鉛直上方向にスライドし、
充填の流路に残る尿素液が回収されることで、
充填タンクへの尿素液の充填時、充填タンク内の空気が、
スライドプラグの排気孔Bと円形溝Dから、ガイドロッドの筒状溝Cと排気孔Aと排気管の順に通過して、充填タンクの外部に排出され、
充填タンクを尿素液充填装置から取り外す際には、
残留尿素液の滴下による装置周囲への汚染を回避できる
ことを特徴とする。
【００１０】
本発明の有利な効果は、以下のとおりである。
１）連結機構と蓋機構を密閉した状態で尿素液を充填でき、充填中の漏れと装置外部からのゴミや埃などの侵入を防ぐことができる。
２）充填作業を終えると、スライドプラグが蓋機構内に残る尿素液を回収するため、連結機構を蓋機構から取り外すときでも、尿素液が装置外部に漏れることがない。
【図面の簡単な説明】
【００１１】
【図１】尿素液充填装置の外観を示す斜視図
【図２】連結機構と蓋機構の断面構造を模式的に示す断面図
【図３】ブラケット機構の一部の断面構造を模式的に示す断面図
【図４】ブラケット機構の一部を模式的に示した拡大図
【図５】ブラケット機構の一部を、断面構造を含んで模式的に示す立体投影図
【図６】ブラケット機構の一部を模式的に示した立体投影図（上）と、その断面構造を模式的に示す断面図（下）
【図７】スライドスリーブBを模式的に示した立体投影図（左）と、その断面構造を模式的に示す断面図（右）
【図８】蓋機構の一部を拡大して断面構造を模式的に示した断面図
【図９】カバーを模式的に示した立体投影図（左）と、その断面構造を模式的に示す断面図（右）
【図１０】図９（右）のリミットブロックB周辺を拡大した拡大図
【図１１】図９（左）のカバーを模式的に示した立体投影図（左）と、その断面構造を模式的に示す断面図（右）
【図１２】図９（左）のカバーを除く一部の部品を模式的に示した立体投影図（左）と、その断面構造を模式的に示す断面図（右）
【図１３】リミットブロックBを模式的に示した立体投影図
【図１４】リングスリーブGを模式的に示した立体投影図（上）と、その断面構造を模式的に示す断面図（下）
【図１５】連結機構を模式的に示した立体投影図（左）と、その断面構造を模式的に示す断面図（右）
【図１６】連結機構の固定部材周辺を模式的に示した立体投影図
【図１７】リングスリーブDを模式的に示した立体投影図（左）と、その断面構造を模式的に示す断面図（右）
【図１８】逆U字体と連結筒を模式的に示した立体投影図（左）と、その断面構造を模式的に示す断面図（右）
【図１９】ガイドロッドAを模式的に示した立体投影図（左）と、その断面構造を模式的に示す断面図（右）
【図２０】スライドプラグを模式的に示した立体投影図（上）と、その断面構造を模式的に示す断面図（下）
【発明を実施するための形態】
【００１２】
本発明の具体的な実施形態について、図面をもとに、詳細に説明する。
図面は、構造的な理解を容易にするために、本発明の実施例を模式的に示したものであり、構造やスケールの寸法は、従来の技術との組み合わせで、使用環境に応じて適宜決定することができ、本発明の範囲を限定することを意図するものではない。
【００１３】
本実施例にかかる尿素液充填装置は、図1、2に示すように、ブラケット機構1と、連結機構26と、蓋機構61、充填タンク89からなる。
【００１４】
ブラケット機構1は、尿素液を流すホース24を連結機構に接続するための支持構造であり、図1、図3、図5に示すように、基部2、柱3、ロータリーダンパーA5、旋回スリーブA6、スライドスリーブA9、スライドバーA15、スライドスリーブB17、スライドバーB22からなる。
柱3は、基部2上に立設し、旋回スリーブA6が、柱3の軸周方向に回転自在に、かつ、柱の鉛直上下方向に摺動自在に、取り付けられている。
柱3には、図3、図6に示すように、リングスリーブA4とロータリーダンパーA5が取り付けられている。
リングスリーブA4は、旋回スリーブA6の内壁に形成されたリング溝A7に位置し、ロータリーダンパーA5は、旋回スリーブA6の内壁に形成されたリング溝B8に位置する。
【００１５】
旋回スリーブA6の外壁には、水平方向に延びるスライドスリーブA9が取り付けられている。
スライドスリーブA9の内壁には、ガイドスロットA10が形成され、ガイドスロットA10には、スライドバーA15が水平方向に摺動自在に嵌合している。
スライドバーA15の一端には、ガイドブロック16が取り付けられ、スライドバーA15が、スライドスリーブA9内を摺動する際にガイドする役割を果たす。
スライドスリーブA9の他端の先端部には、図6に示すように、保持溝A11が形成されており、保持溝A11には、図4に示すように、ロータリーダンパーB12が取り付けられている。
ロータリーダンパーB12には、ギヤA13が入れ子式に取り付けられており、ギヤA13は、スライドバーA15の側面に取り付けられた歯板A14と噛み合っている。
【００１６】
スライドバーA15の先端には、図4に示すように、スライドスリーブB17が取り付けられている。
スライドスリーブB17には、図4、図7に示すように、鉛直方向に貫通する貫通孔を鉛直上下方向に摺動するスライドバーB22が挿通されている。
スライドスリーブB17には、図７に示すように、保持溝B18が形成され、保持溝B18には、図5に示すように、ロータリーダンパーC19が取り付けられている。
ロータリーダンパーC19には、ギヤB20が入れ子式に取り付けられ、ギヤB20は、スライドバーB22の側面に取り付けられた歯板B21と噛み合っている。
スライドバーB22は、図1に示すように、上端に、支持されるスライドスリーブB17から外れるのを防止するリミットブロックA23が取り付けられており、下端に、連結機構26の逆U字体27が連結されている。
【００１７】
流入孔32に接続し、尿素液を流すホース24は、図1、図5に示すように、固定クリップ25によって、柱3、スライドスリーブA9、スライドバーB22の各箇所に固定されている。
ロータリーダンパーA5、ロータリーダンパーB12、ロータリーダンパーC19は、従来技術を用いている。
スライドバーB22の下端部は、図1、図2に示すように、連結機構26と連結されている。
スライドバーB22に連結された連結機構26が、充填タンク89の蓋機構61に嵌め込まれることで、ホース24から流入する尿素液は、充填タンク89内に充填される。
【００１８】
連結機構26は、図15、図16、図20に示すように、逆U字体27、連結筒28、振り子38、連結ロッド43、ガイドロッドA44、スライドプラグ49、リングスリーブD57からなる。
連結筒28は、図15、18に示すように、上面側に逆U字体27が取り付けられ、下面側には円形溝A29が形成されている。
円形溝A29の内壁には、図18に示すように、流入孔32が形成されており、ホース24が連結されており、このホース24を通じて尿素液が円形溝A29内に充填される。
【００１９】
逆U字体27は、図2、図15に示すように、逆U字状の空隙部分に、揺動する振り子38が取り付けられている。
振り子38の一端は、逆U字体27から延出した位置に配されているが、振り子38の他端は、逆U字体27の間隙部分に位置し、連結ロッド43の一端とヒンジ結合されている。
連結ロッド43の、振り子38とヒンジ結合されていない他端は、ガイドロッドA44の上端部分でヒンジ結合されている。
【００２０】
逆U字体27には、図15、16、18に示すように、2つの固定部材36が取り付けられている。
2つの固定部材36の間には、軸回りを回転自在に振り子38が取り付けられた振り子軸37が設けられている。
振り子38には、振り子軸37の近傍に、振り子軸37と平行の固定軸39が取り付けられている。
固定軸39の両端には、軸回りを回転自在に旋回スリーブC42が取り付けられている。
旋回スリーブC42は、軸回りを回転自在に固定部材36に取り付けられた旋回スリーブB41と、スプリングA40によって接続されている。
スプリングA40は、振り子38を初期状態の位置に保つ役割を担っている。
逆U字体27は、図15、図18に示すように、内壁に、振り子38の揺動範囲を制限するための２つの制限ブロック35が取り付けられており、振り子38は、制限ブロック35の間で揺動できる。
【００２１】
連結筒28は、図18に示すように、逆U字状の空隙部分と、円形溝A29を連通する、筒状溝B30が形成されている。
筒状溝B30には、2つのリング溝C31が形成されている。
リング溝C31には、筒状溝B30に挿通され、鉛直上下方向に摺動するガイドロッドA44と筒状溝B30の内壁との隙間を塞ぐシールC48が収められている。
シールC48によって、ガイドロッドA44の摺動中に、円形溝A29内の尿素液がガイドロッドA44と筒状溝B30の内壁の隙間から漏れないようになっている。
【００２２】
ガイドロッドA44は、図19に示すように、内部が空洞の筒状溝C45が形成されており、下端部が開口しており、上端部は、側壁側が開口した排気孔A46が形成されている。
排気孔A46には、排気管47が連結されている。
充填タンク89への尿素液の充填時、充填タンク89内の空気は、この排気管47を通って、充填タンク89の外部に排出される。
【００２３】
円形溝A29には、図15、図20に示すように、スライドプラグ49が配されている。
スライドプラグ49は、円形溝A29内を鉛直上下方向に摺動する。
スライドプラグ49は、上面の中央部分に、円形溝D52が形成されている。
円形溝D52には、連結筒28に形成された筒状溝B30内を鉛直上下方向に摺動するガイドロッドA44が嵌合する。
円形溝D52は、スライドプラグ49の周方向に向かって延びる排気孔B53が形成されている。
排気孔B53は、ガイドロッドA44の筒状溝C45と連通する。
そのため、充填タンク89への尿素液の充填時、充填タンク8内の空気は、排気孔B53、円形溝D52、ガイドロッドA44の筒状溝C45、ガイドロッドA44の排気孔A46、排気管47の順に通過して、充填タンクの外部に排出される。
【００２４】
スライドプラグ49の上面は、図20に示すように、流入する尿素液が360度の全方向に流れるように緩やかに傾斜した円錐面C50が形成されている。
円錐面C50には、円錐面C50上に流入する尿素液が、排気孔B53を塞ぐことを防止するガーター54が複数取り付けられている。
ガーター54は、円錐面C50上に流入する尿素液を、ガーター54の脇から流れ落ちるように誘導し、尿素液が排気孔B53に入り込んで排気孔B53を塞ぐことがないようにする役割を果たす。
【００２５】
スライドプラグ49は、図20に示すように、外周面に円形溝C51が形成されており、円形溝C51には、シールA88が取り付けられている。
シールA88は、スライドプラグ49と、円形溝A29の内壁、ワッシャー34の内壁、環状スリーブG67の内壁、との間に隙間が生じないように密閉性を高める役割を果たす。
スライドプラグ49が、連結筒28の円形溝A29内に位置するとき、スライドプラグ49と円形溝A29の内壁との間に隙間は生じないため、ホース24から流入する尿素液は、円形溝A29に貯留する。
また、充填タンク89への尿素液の充填後は、スライドプラグ49が、流路内に残った尿素液を、連結筒28の円形溝A29内に集めて回収する。
これにより、充填タンク89を尿素液充填装置から取り外す際に、残留尿素液の滴下による装置周囲への汚染を回避できる。
【００２６】
連結筒28は、外周側に、リングスリーブD57が嵌合されている。
リングスリーブD57は、連結筒28とリングスリーブG67を連結するためのものである。
リングスリーブD57は、図17に示すように、内壁にリングスリーブE58が取り付けられている。
リングスリーブE58には、環状溝59が形成されている。
環状溝59には、図15、図18に示すように、連結筒28のリングスリーブB33が嵌合する。
【００２７】
蓋機構61は、図9、図11、図12に示すように、カバー62、リングスリーブG67、プラグ72、リングスリーブH75、リミットブロックB79、ガイドロッドB78、リングスリーブF65、支持板64、スプリングB87からなる。
カバー62は、充填タンク89の充填口に取り付けられる。
カバー62は、図9、図11に示すように、中心部に円形スロットE63が形成されている。
円形スロットE63には、図9に示すように、リングスリーブG67が取り付けられており、連結筒28との連結面になるリングスリーブG67の上端部分には、図8に示すように、ワッシャー34が篏合している。
リングスリーブG67の外周面には、図9、図14に示すように、等間隔でタブB71が形成されている。
このタブB71は、図17に示すように、リングスリーブD57の内周側に形成されたタブA60と嵌合する。
リングスリーブG67の下端面には、プラグ72が取り付けられている。
【００２８】
カバー62は、図9に示すように、円形スロットE63内に、プラグ72とその上に立設するリングスリーブH75、プラグ72に嵌合するリングスリーブG67が収められている。
これらプラグ72、リングスリーブH75、リングスリーブG67は、一体になって、円形スロットE63内を鉛直上下方向にスライドする。
プラグ72の下面側には、プラグ72を鉛直上下方向に動かすためのスプリングB87が取り付けられている。
プラグ72は、図12に示すように、周縁部に勾配のある円錐面B73が形成されており、円錐面B73には、リング溝G74が形成されている。
リング溝G74には、図8、図9に示すように、リングスリーブG67の下面側に形成された円錐面A70との隙間の密閉性を高めるためのシールB86が取り付けられている。
【００２９】
リングスリーブG67は、図14に示すように、下端部に勾配のある円錐面A70が形成されており、円錐面A70において、プラグ72と重ね合わされた状態で密着する。
リングスリーブG67の上端部には、ワッシャー34が嵌合するリング溝F68が形成されており、ワッシャー34は、図8に示すように、リングスリーブG67と連結筒28の間に挟まれ、シールの役割を果たす。
リングスリーブG67は、側壁に、リミットスロット69が形成されており、リングスリーブH75に形成されたリング溝H77を挿通するL字型のリミットブロックB79の斜面A80が形成された側の端部が、リミットスロット69に嵌入する。
リミットブロックB79は、中心から外周に向かって放射方向に摺動し、リミットスロット69への嵌入と退出を繰り返す。
リミットブロックB79がリミットスロット69に嵌入した状態であれば、プラグ72がリングスリーブG67に取り付けられた状態が維持され、リミットブロックB79がリミットスロット69から退出した状態であれば、プラグ72をリングスリーブG67から取り外すことができる。
【００３０】
リミットブロックB79は、図13に示すように、L字型の鉛直部分の端部に、ドライブリング56に嵌合する斜面B81、斜面C83、垂直面82が形成されている。
垂直面82に対して、斜面B81と斜面C83の間の頂点が突出した形状であることで、リングスリーブC55の下面側に取り付けられた、内周側に迫り出た形状のドライブリング56がひっかかりやすくなる。
【００３１】
リングスリーブH75は、内周側と外周側にスライド溝76が形成されており、その間を貫通するようにリング溝H77が形成されている。
リング溝H77には、図10、図12に示すように、リミットブロックB79とともにスプリングC84が収められている。
スプリングC84は、一端がリング溝H77の内壁に取り付けられ、他端はリミットブロックB79に取り付けられたバネ押さえ板85に取り付けられている。
リミットブロックB79の図13の左側の端部は、リング溝H77とリミットスロット69の間の段差をスライドできるように斜面A80が形成されている。
【００３２】
カバー62の内側には、図9、図11に示すように、中心軸がカバー62と同一のリングスリーブF65が、複数の支持板64によって取り付けられている。
プラグ72の下面側には、図12に示すように、周縁部分に、等間隔に、複数のガイドロッドB78が取り付けられている。
リングスリーブF65には、複数のガイドスロットB66が形成されており、ガイドスロットB66には、ガイドロッドB78が挿通されている。
プラグ72は、ガイドロッドB78が、ガイドスロットB66に挿通された状態で、鉛直上下方向に摺動できる。
【００３３】
スライドプラグ49の下面側には、図20に示すように、リングスリーブC55が取り付けられており、リングスリーブC55の下端部には、内周側に迫り出た形状のドライブリング56が取り付けられている。
ドライブリング56が、リミットブロックB79の斜面B81と斜面C83の間の頂点部分にひっかかって嵌合する。
【００３４】
本実施例にかかる尿素液充填装置の使用方法を説明する。
初期状態では、連結機構26は、蓋機構61とは分離した状態であり、連結されていない。
そのため、尿素液を充填するときは、蓋機構61に連結機構26を連結させる必要がある。
最初に、蓋機構61のカバー62を充填タンク89の充填口にしっかりと取り付ける。
次に、旋回スリーブA6を、柱3の鉛直上下方向に摺動させつつ、柱3の軸周方向に回転させ、スライドバーA15を、スライドスリーブA9の水平方向に伸縮させ、スライドバーB22を、スライドスリーブB17の鉛直上下方向に摺動させる調整を行いながら、連結筒28の下端の円形溝A29を、リングスリーブG67の上端に合わせて、連結機構26を、充填タンク89の充填口に取り付けた蓋機構61に連結する。
【００３５】
その際、リングスリーブD57の内壁に形成された図15に示すタブA60が、リングスリーブG67の外周面に形成された図9に示す複数のタブB71間を通るようにリングスリーブD57をリングスリーブG67に嵌め込み、リングスリーブD57を回転させる。
タブA60がタブB71と当接するように重なることで、リングスリーブD57を引き抜くことができず、リングスリーブG67から外れない。
同時に、連結機構26全体が下方に押圧され、連結筒28とリングスリーブG67の間に取り付けられるワッシャー34が、連結筒28とリングスリーブG67の密着性を高め、シールの役割を果たし、充填中の尿素液の漏れを防ぐ。
【００３６】
また、初期状態では、振り子38は、図15のように、連結ロッド43と連結されていない側の端部よりも、連結ロッド43と連結されている側の端部が高い位置にあり、下に向いた状態である。
この状態で、振り子38の、連結ロッド43と連結されていない側の端部を、鉛直上方向に押し上げる。
これにより、振り子38は、鉛直上方向に位置する制限ブロック35から離れ、鉛直下方向に位置する他の制限ブロック35に当接するまで傾く。
振り子38を、鉛直下方向に位置する他の制限ブロック35に当接するまで押し上げて傾けると、スプリングA40が伸びた状態になり、押し上げている振り子38を離すと、スプリングA40の弾性力によって、振り子38は、図15の元の位置に戻る。
【００３７】
振り子38の、連結ロッド43と連結されていない側の端部を、鉛直上方向に押し上げて傾けると、振り子38が、連結ロッド43を介して、ガイドロッドA44を、筒状溝B30内を鉛直下方向に押し下げるようにスライドさせ、ガイドロッドA44が、スライドプラグ49を、円形溝A29内の鉛直下方向に押し下げるようにスライドさせる。
スライドプラグ49は、初期状態では、円形溝A29の空間を閉じるように、円形溝A29内に配置されているが、スライドプラグ49が鉛直下方向に移動すると、リングスリーブG67とプラグ72を押し下げ、プラグ72の下面側に位置するスプリングB87は縮められた状態になる。
【００３８】
このとき、スライドプラグ49は、図20に示すように、下面側に、リングスリーブC55と、内周側に迫り出た形状のドライブリング56が取り付けられているため、スライドプラグ49が鉛直下方向に移動することで、ドライブリング56の先端が、図13に示すリミットブロックB79の斜面B81に接する。
その状態のまま、振り子38を押し上げて傾け、スライドプラグ49を鉛直下方向に移動させ続けると、ドライブリング56の内周側に迫り出た形状の下端部は、リミットブロックB79の斜面B81と斜面C83の間の角部に嵌合する。
【００３９】
このとき、リミットブロックB79は、リングスリーブH75の中心方向にスライドし、リミットブロックB79の斜面A80側の端部は、リングスリーブG67の内壁に形成されたリミットスロット69に嵌入された状態から完全に引っ張り出されることになる。
そのため、この状態のまま、振り子38を押し上げて傾け、スライドプラグ49を鉛直下方向に移動させ続けると、スライドプラグ49の下端面のドライブリング56は、リミットブロックB79の上面側を押し下げ、リングスリーブG67から外れたリングスリーブH75とプラグ72は、スライドプラグ49とともに鉛直下方向に移動し、リングスリーブG67との間に隙間が生じる。
そして、スライドプラグ49がリングスリーブG67よりも押し下げられることで、尿素液は、リングスリーブG67とプラグ72（またはスライドプラグ49）の隙間を通って、充填タンク89に流入し、充填される。
【００４０】
以上の手順で、振り子38を、連結ロッド43と連結されていない側の端部を鉛直上方向に押し上げて傾けることで、スライドプラグ49は、鉛直下方向に移動して、連結筒28の円形溝A29内から、充填タンク89の充填口内に移動して、連結筒28の円形溝A29が充填タンク89と連通した状態になり、尿素液が、ホース24、円形溝A29を通じて、充填タンク89内に充填される。
充填タンク89への尿素液の充填時、充填タンク89内の空気は、排気孔B53、円形溝D52、筒状溝C45、排気孔A46、排気管47を通過して、外部に排出され、尿素液の充填を妨げない。
【００４１】
充填タンク89に尿素液を充填した後は、押し上げている振り子38の、連結ロッド43と連結されていない側の端部を離して、振り子38を元の傾きに戻すことで、スライドプラグ49が元の位置に戻り、リングスリーブG67とプラグ72の隙間がなくなることで、充填タンク89への充填が止まる。
つまり、スライドプラグ49とともに、充填タンク89内を鉛直下方向に移動したプラグ72は、プラグ72の下面側に取り付けられたスプリングB87を圧縮し、スプリングB87から反発力を受けた状態になるため、振り子38を押し上げるのをやめ、振り子38の傾きを元に戻すと、プラグ72は、スプリングB87からの反発力を受けて元の位置に戻り、リングスリーブG67とプラグ72の隙間がなくなる。
【００４２】
このように、振り子38が、スプリングA40の弾性力を受けて元の位置に戻り、連結ロッド43を介して、ガイドロッドA44を、筒状溝B30内で鉛直上方向にスライドさせると、ガイドロッドA44の鉛直上方向へのスライドに合わせて、スライドプラグ49が、下端面のドライブリング56にリミットブロックB79を嵌合させた状態のまま、スプリングB87の反発力を受けて鉛直上方向に押し上げられたプラグ72とリングスリーブH75とともに、充填タンク89の充填口（リングスリーブG67の内周部）内で、鉛直上方向にスライドする。
【００４３】
スプリングB87の反発力を受けて鉛直上方向に押し上げられたプラグ72は、プラグ72の円錐面B73がリングスリーブG67の円錐面A70に当接したところまではスライドできるが、それ以上は、鉛直上方向にスライドできない。
そのため、スライドプラグ49が、さらに鉛直上方向にスライドし始めたところで、スライドプラグ49の下端面のドライブリング56は、嵌合していたリミットブロックB79から外れることになる。
このとき、リミットブロックB79は、リングスリーブH75のリング溝H77内に収められたスプリングC84の反発力を受けて、外周側に押し込まれ、リングスリーブG67の内壁に形成されたリミットスロット69に嵌入する。
これにより、プラグ72とリングスリーブH75は、再びリングスリーブG67と嵌合した状態になり、プラグ72とリングスリーブG67の間の隙間が塞がれることで、尿素液が、充填タンク89内に流入するのを遮断する。
【００４４】
そして、振り子38が元の傾きに戻ると、リミットブロックB79から外れたドライブリング56が取り付けられたスライドプラグ49は、そのまま鉛直上方向に移動して、連結筒28の円形溝A29内にまで移動する。
このとき、スライドプラグ49は、リングスリーブG67の内壁、ワッシャー34の内壁、円形溝A29の内壁と隙間なく密着されているため、流路内に残っている尿素液を、連結筒28の円形溝A29に集めて回収する。
そして、リングスリーブD57を逆回転させると、リングスリーブD57の内壁に形成された図15に示すタブA60が、リングスリーブG67の外周面に形成された図9に示す複数のタブB71間を通るようになり、リングスリーブD57がリングスリーブG67から外すことができる。
【００４５】
次いで、スライドバーB22を、スライドスリーブB17に対して鉛直上方向に移動するように上方に引っ張ると、連結機構26全体が蓋機構61から外れる。
連結機構26を蓋機構61から離脱させた後は、蓋機構61に取り付けたカバー62を外すことで、充填タンク89を蓋機構61から完全に取り外すことができ、次に充填する充填タンク89を新しく取り付けることができるようになる。
【００４６】
以上のとおり、本実施例にかかる尿素液充填装置は、連結機構26と蓋機構61の協働により、尿素液の充填タンク89への充填工程中に、尿素液が装置外部に飛散しないようにするとともに、充填工程中に装置外部から粉塵などが充填タンク89内に入らないようにすることができる。
また、同時に、充填タンク89への充填後は、連結機構26のスライドプラグ49を元の位置に戻すことで、流路内に残った尿素液を、連結筒28の円形溝A29に集めて回収できる。
そのため、充填タンク89を尿素液充填装置から取り外す際に、残留尿素液の滴下による装置周囲への汚染を回避できる。
【符号の説明】
【００４７】
1  ブラケット機構
2  基部
3  柱
4  リングスリーブA
5  ロータリーダンパーA
6  旋回スリーブA
7  リング溝A
8  リング溝B
9  スライドスリーブA
10  ガイドスロットA
11  保持溝A
12  ロータリーダンパーB
13  ギヤA
14  歯板A
15  スライドバーA
16  ガイドブロック
17  スライドスリーブB
18  保持溝B
19  ロータリーダンパーC
20  ギヤB
21  歯板B
22  スライドバーB
23  リミットブロックA
24  ホース
25  固定クリップ
26  連結機構
27  逆U字体
28  連結筒
29  円形溝A
30  筒状溝B
31  リング溝C
32  流入孔
33  リングスリーブB
34  ワッシャー
35  制限ブロック
36  固定部材
37  振り子軸
38  振り子
39  固定軸
40  スプリングA
41  旋回スリーブB
42  旋回スリーブC
43  連結ロッド
44  ガイドロッドA
45  筒状溝C
46  排気孔A
47  排気管
48  シールC
49  スライドプラグ
50  円錐面C
51  円形溝C
52  円形溝D
53  排気孔B
54  ガーター
55  リングスリーブC
56  ドライブリング
57  リングスリーブD
58  リングスリーブE
59  環状溝
60  タブA
61  蓋機構
62  カバー
63  円形スロットE
64  支持板
65  リングスリーブF
66  ガイドスロットB
67  リングスリーブG
68  リング溝F
69  リミットスロット
70  円錐面A
71  タブB
72  プラグ
73  円錐面B
74  リング溝G
75  リングスリーブH
76  スライド溝
77  リング溝H
78  ガイドロッドB
79  リミットブロックB
80  斜面A
81  斜面B
82  垂直面
83  斜面C
84  スプリングC
85  バネ押さえ板
86  シールB
87  スプリングB
88  シールA
89  充填タンク
【要約】      （修正有）【課題】本発明にかかる尿素液充填装置は、充填装置の密閉性が高く、装置外部から埃や異物が充填タンク内に入ることを防ぎつつ、尿素液の充填作業中、充填タンク内の空気が適切に排出され、尿素液の充填の流れを邪魔しないだけでなく、充填の流路に残る尿素液を回収でき、充填タンクを尿素液充填装置から取り外す際に、残留尿素液の滴下による装置周囲への汚染を回避できる装置を提供する。【解決手段】尿素液を充填タンク８９に充填する尿素液充填装置であって、充填タンクの充填口に取り付ける蓋機構６１と、充填タンクに尿素液を充填するために蓋機構に連結される連結機構２６と、尿素液を流すホースを連結機構に接続するための支持構造であるブラケット機構１と、から構成されており、充填タンクを尿素液充填装置から取り外す際には、残留尿素液の滴下による装置周囲への汚染を回避できることを特徴とする。【選択図】図１【図１】
0006949408.tif 000002
【図２】
0006949408.tif 000003
【図３】
0006949408.tif 000004
【図４】
0006949408.tif 000005
【図５】
0006949408.tif 000006
【図６】
0006949408.tif 000007
【図７】
0006949408.tif 000008
【図８】
0006949408.tif 000009
【図９】
0006949408.tif 000010
【図１０】
0006949408.tif 000011
【図１１】
0006949408.tif 000012
【図１２】
0006949408.tif 000013
【図１３】
0006949408.tif 000014
【図１４】
0006949408.tif 000015
【図１５】
0006949408.tif 000016
【図１６】
0006949408.tif 000017
【図１７】
0006949408.tif 000018
【図１８】
0006949408.tif 000019
【図１９】
0006949408.tif 000020
【図２０】
0006949408.tif 000021